(57)【特許請求の範囲】
【請求項１】
第一の下部外壁の上に第一の上部外装があり、第一の下部外壁の横に第二の下部外壁があって、第一の下部外壁と第二の下部外壁の上端面に沿って取り付けられる水密材を備え、第一の下部外壁の上に第一の上部外装が、水密材を押圧した状態にして取り付けられてなる建物であって、
第二の下部外壁に取り付けられる部分が第二の下部外壁の設置に支障のない位置に折り曲げ可能になされている水密材が、第一の下部外壁と第二の下部外壁とに跨がって取り付けられていることを特徴とする建物。
【請求項２】
第一の下部外壁が、第一の下階建物ユニットの外壁であり、第二の下部外壁が第二の下階建物ユニットの外壁であり、建物がユニット建物であることを特徴とする請求項１記載の建物。
【請求項３】
第一の下部外壁の上に水密材を介して第一の上部外装を設置し、水密材を押圧した状態にした後、第一の下部外壁の横に第二の下部外壁を設置する建物の施工方法であって、
水密材を次に設置する第二の下部外壁に跨がるように第一の下部外壁から突出させて取り付ける工程と、水密材の突出部を第二の下部外壁の設置に支障のない位置に折り曲げ、第二の下部外壁を設置する工程と、折り曲げた水密材の突出部を伸ばし、この突出部を第二の下部外壁の上端面に取り付ける工程とを備えてなる建物の施工方法。
【請求項４】
第一の下部外壁が、第一の下階建物ユニットの外壁であり、第二の下部外壁が第二の下階建物ユニットの外壁であり、建物がユニット建物であることを特徴とする請求項３記載の建物の施工方法。
【請求項５】
水密材が、水切り材を備えた水切り材付き水密材であることを特徴とする請求項１または２記載の建物。
【請求項６】
水密材が、水切り材を備えた水切り材付き水密材であることを特徴とする請求項３または４記載の建物の施工方法。
【請求項７】
第二の下部外壁を設置した後、折り曲げた水密材の突出部を伸ばし、この突出部を第二の下部外壁の上端面に取り付ける工程で、第二の下部外壁用の水切り材を取り付けることを特徴とする請求項６記載の建物の施工方法。
【発明の詳細な説明】
【０００１】
【発明の属する技術分野】
本発明は、建物ユニットの外壁パネル間の水切り構造およびその施工方法に関する。
【０００２】
【従来の技術】
ユニット建物は、工場等で生産された建物ユニットを運搬車に積んで施工現場に輸送し、大型のクレーン車等の荷役機械で荷下ろしして、基礎の上に建物ユニットを隣接設置して据え付けている。上記建物ユニットの据え付け時に大型のクレーン車を使用できない場合がある。大型のクレーン車を使用できない阻害要因としては、敷地に隣接する進入道路幅が狭小の場合、敷地が狭小で隣接する建物や電柱等の障害物がある場合、あるいは敷地の間口が狭く、奥行きが長いためクレーンが届かない場合、等がある。
【０００３】
上記の阻害要因に対処する方法として、特公平１−１２８８９号公報、特公平８−１４２０２号公報、特開平８−１５１６８７号公報等、記載の建物ユニットの据え付け方法が知られている。
上記特公平１−１２８８９号公報記載のものは、基礎上に建物ユニットを、その最終的な据え付け位置とは異なる位置に据え付け、この異なる位置で建物ユニットの外部工事を施した後に、この建物ユニットを最終的据え付け位置に据え付けるものである。
特公平８−１４２０２号公報記載のものは、小型クレーン車の走行架台を基礎の上に設置して建物ユニットを据え付ける方法である。
特開平８−１５１６８７号公報記載のものは、建物ユニットをトラベルリフト装置によって、基礎上の最終据え付け位置と異なる位置に設置された引き込み装置に移送して段積み作業し、その後、段積みされた建物ユニットを引き込み装置によって基礎上の最終据え付け位置に据え付けるものである。
【０００４】
また、外壁パネル間の水切り構造は、例えば、特開平８−１０５１２５号公報に記載されている。上記公報記載の水切り構造は、下階の外壁パネルの上端面に沿って取り付けられた胴差と、上階の外壁パネルの下端縁に沿って取り付けられた水切り材とからなり、胴差と水切り材との間に水密材が設けられ、水切り材で押圧されているものである。
上記の水切り構造においては、下階建物ユニットの上に上階建物ユニットを設置する前に、水切り材と水密材を取り付けることができ、この部分の上階建物ユニットを設置した後には、防水処理のための作業が不要で、足場がいらない。
【０００５】
【発明が解決しようとする課題】
しかしながら、狭小の敷地等に建物ユニットを据え付ける従来の据え付け方法において、ユニット建物を、先ず上下階の第一の建物ユニットを設置し、次工程でこの第一の建物ユニットの横に第二の建物ユニットを隣接設置して構築すると、第一の建物ユニットの外壁と隣接する第二の建物ユニットの外壁との間に隙間ができ、これによって外壁間の水密性が不完全となる問題が生じる。
【０００６】
本発明は、上記の問題を解決するためになされたものであって、本発明の目的は、隣接する外壁間の水密性を改良した建物と、建物の施工方法を提供する事である。
【０００７】
【課題を解決するための手段】
請求項１記載の本発明は、第一の下部外壁の上に第一の上部外装があり、第一の下部外壁の横に第二の下部外壁があって、第一の下部外壁と第二の下部外壁の上端面に沿って取り付けられる水密材を備え、第一の下部外壁の上に第一の上部外装が、水密材を押圧した状態にして取り付けられてなる建物であって、
水密材が、第一の下部外壁と第二の下部外壁とに跨がって取り付けられているものである。
【０００８】
上記請求項１記載の本発明において、上記水密材が第一の下部外壁と第一の上部外装とに押圧された状態で、第二の下部外壁を設置する際、第二の下部外壁に取り付けられる部分が、第二の下部外壁の設置に支障のない位置に折り曲げ可能になされている。
【０００９】
なお、上部外装とは上部外壁、屋根ユニットまたは屋根パネルのいずれであってもよい。
【００１０】
請求項２記載の本発明は、請求項１記載の建物において、第一の下部外壁が、第一の下階建物ユニットの外壁であり、第二の下部外壁が第二の下階建物ユニットの外壁であり、建物がユニット建物であることを特徴とする。
【００１１】
請求項３記載の本発明は、第一の下部外壁の上に水密材を介して第一の上部外装を設置し、水密材を押圧した状態にした後、第一の下部外壁の横に第二の下部外壁を設置する建物の施工方法であって、
水密材を次に設置する第二の下部外壁に跨がるように第一の下部外壁から突出させて取り付ける工程と、水密材の突出部を第二の下部外壁の設置に支障のない位置に折り曲げ、第二の下部外壁を設置する工程と、折り曲げた水密材の突出部を伸ばし、この突出部を第二の下部外壁の上端面に取り付ける工程とを備えてなるものである。
【００１２】
請求項４記載の本発明は、請求項３記載の建物の施工方法において、第一の下部外壁が、第一の下階建物ユニットの外壁であり、第二の下部外壁が第二の下階建物ユニットの外壁であり、建物がユニット建物であることを特徴とする。
【００１３】
請求項５記載の本発明は、請求項１または２記載の建物において、水密材が、水切り材を備えた水切り材付き水密材である。
【００１４】
請求項６記載の本発明は、請求項３または４記載の建物の施工方法において、水密材が、水切り材を備えた水切り材付き水密材である。
【００１５】
上記請求項５または６記載の本発明において、水切り材が第一の下部外壁と第二の下部外壁に跨がる場合には、水切り材が可撓性を有するものとするのがよい。すると、水切り材の突出部を水密材と共に第二の下部外壁の設置に支障のない位置に折り曲げでき、第二の下部外壁の設置が容易となる。
【００１６】
請求項７記載の本発明は、請求項６記載の建物の施工方法において、第二の下部外壁を設置した後、折り曲げた水密材の突出部を伸ばし、この突出部を第二の下部外壁の上端面に取り付ける工程で、第二の下部外壁用の水切り材を取り付けるものである。
【００１７】
（作用）
請求項１記載の建物は、水密材が、第一の下部外壁と第二の下部外壁とに跨がって取り付けられているので、隣接する外壁間の水密性を改良した建物となる。なお、この水密材が第一の下部外壁と第一の上部外装とに押圧された状態で、第二の下部外壁を設置する際、第二の下部外壁に取り付けられる部分が第二の下部外壁の設置に支障のない位置に折り曲げ可能になされているものであると、請求項３記載の建物の施工方法を採用できる。すると、建物の外からのさぎょうがなくてよく、足場を不要にできる。
【００１８】
請求項２記載の建物は、請求項１記載の建物において、第一の下部外壁が、第一の下階建物ユニットの外壁であり、第二の下部外壁が第二の下階建物ユニットの外壁であり、建物がユニット建物であるから、隣接する建物ユニットの外壁間の水密性を改良したユニット建物となる。
【００１９】
請求項３記載の建物の施工方法によると、水密材を次に設置する第二の下部外壁に跨がるように第一の下部外壁から突出させて取り付ける工程を備えているので、隣接する外壁間の水密性を改良した建物となる。
また、水密材の突出部を第二の下部外壁の設置に支障のない位置に折り曲げ、第二の下部外壁を設置する工程と、折り曲げた水密材の突出部を伸ばし、この突出部を第二の下部外壁の上端面に取り付ける工程とを備えてなるものであるから、第二の下部外壁の設置が容易となる。
【００２０】
請求項４記載の建物の施工方法は、請求項３記載の建物の施工方法において、第一の下部外壁が、第一の下階建物ユニットの外壁であり、第二の下部外壁が第二の下階建物ユニットの外壁であり、建物がユニット建物であるから、隣接する外壁間の水密性を改良したユニット建物となる。また、第二の下階建物ユニットの設置が容易となる。
【００２１】
請求項５記載の建物は、請求項１または２記載の建物において、水密材が水切り材を備えた水切り材付き水密材であるから、水切り材で隣接する外壁間の水密性を一層改良した建物となる。
【００２２】
請求項６記載の建物の施工方法は、請求項３または４記載の建物の施工方法において、水密材が、水切り材を備えた水切り材付き水密材であるから、水切り材で隣接する外壁間の水密性を一層改良した建物となる。
【００２３】
請求項７記載の建物の施工方法は、請求項６記載の建物の施工方法において、第二の下部外壁を設置した後、折り曲げた水密材の突出部を伸ばし、この突出部を第二の下部外壁の上端面に取り付ける工程で、第二の下部外壁用の水切り材を取り付けるものである。従って、水密材を隣接する外壁間に跨がって設置でき、水密性を改良できる。
第二の下部外壁用の水切り材は、水密材の折り曲げの際に、折り曲げられないので、可撓性のない水切り材を用いることができる。
【００２４】
【発明の実施の形態】
以下、本発明の実施の形態を図面を参照して説明する。
図１〜図５は、本発明の一実施例であって、図１は水密材の取り付け方法を示す説明図で、（イ）図は構築中のユニット建物、（ロ）図は（イ）図のＡ部における前工程の説明図、（ハ）図は後工程の説明図、図２は水密材が取り付けられたユニット建物の説明図、図３の（イ）〜（ホ）図は図２のユニット建物の構築方法を手順通りに示す説明図、図４は水切り材付き水密材の説明図であって、（イ）図は正面図、（ロ）図は（イ）図のＢ−Ｂ線における断面図、図５は図１のＡ部を拡大して示す拡大断面図、である。
【００２５】
図２に示すように、本実施例の建物は、ユニット建物Ｔであって、このユニット建物Ｔは、一部が３階建てで、残りが２階建てになされたものである。
上記のユニット建物Ｔが据え付けられる敷地は、この敷地に接する取り付け道路の幅が狭く、かつ、敷地の間口が狭く奥行きの長いものとなっている。このため、建物ユニットＵを基礎の上に設置するとき、道路の幅が狭いので、大型クレーン車のクレーン回転が制約されると同時に、敷地の奥までクレーンが届かない。このため、基礎の上にステージを設けて小型クレーン車を使用して建物ユニットを据え付ける方式をとっている。
【００２６】
すなわち、図３（イ）図に示すように、まず、第一の１階建物ユニットＵ１１を設置し、つぎに、（ロ）図に示すように、この第一の１階建物ユニットＵ１１の上に第一の２階建物ユニットＵ１２を設置する。そして、（ハ）図に示すように、第一の２階建物ユニットＵ１２の上に第一の３階建物ユニットＵ１３をさらに設置する。次いで、小型クレーン車を次の作業のための位置に動かし、上記第一の１〜３階建物ユニットＵ１１〜Ｕ１３を設置した横に、以下同様にして、（ニ）図と（ホ）図に示すように、第二の１〜３階建物ユニットＵ２１〜Ｕ２３を設置し、さらに、その横に第三の１、２階建物ユニットＵ３１、Ｕ３２を設置する。
【００２７】
上記のようにして構築されるユニット建物Ｔは、第一の１階建物ユニットＵ１１の１階外壁Ｇ１１の上に、第一の２階建物ユニットＵ１２の２階外壁Ｇ１２があり、２階外壁Ｇ１２の上に第一の３階建物ユニットＵ１３の３階外壁Ｇ１３がある。
そして、同様に、第二の１階建物ユニットＵ２１の１階外壁Ｇ２１の上に、第二の２階建物ユニットＵ２２の２階外壁Ｇ２２があり、２階外壁Ｇ２２の上に第二の３階建物ユニットＵ２３の３階外壁Ｇ２３がある。
【００２８】
そしてまた、同様に、第三の１階建物ユニットＵ３１の１階外壁Ｇ３１の上に、第三の２階建物ユニットＵ３２の２階外壁Ｇ３２がある。
上記において、第一の１階外壁Ｇ１１と２階外壁Ｇ１２とは、図５に図示しているが、その他の外壁Ｇ１３、Ｇ２１、Ｇ２２、Ｇ２３、Ｇ３１、Ｇ３２は図示省略している。
なお、第一の１階建物ユニットＵ１１の１階外壁Ｇ１１の横に第二の１階建物ユニットＵ２１の１階外壁Ｇ２１があるように、各外壁Ｇはほぼ同一面上で互いに隣接している。
【００２９】
上記のユニット建物Ｔは、第一の１階外壁Ｇ１１と第二の１階外壁Ｇ２１の上端面に沿って取り付けられる水密材１を備え、第一の１階外壁Ｇ１１の上に第一の２階外壁Ｇ１２が、水密材１を押圧した状態にして取り付けられている。
そして、上記水密材１が、第一の１階外壁Ｇ１１と第二の１階外壁Ｇ２１とに跨がって取り付けられている。
【００３０】
上記水密材１は、第一と第二の２階と３階部分、および第二と第三の１階と２階部分においても上記と同様にして取り付けられているが、重複するので説明を省略し、代表して第一と第二の１階と２階部分について説明することとする。
尚、水密材１の取り付けられる下側の建物ユニットを下側外壁とすると、その建物ユニットの上に設置される建物ユニットの外壁が上部外装に相当する。
【００３１】
上記の水密材１は、図４に示すように、水切り材３付きになされ、合成ゴム製の断面略円筒形状の長尺の水密材本体２と、この水密材本体２の下端部に嵌合状態で取り付けられた水切り材３とから構成されている。水切り材３は、変形可能な合成樹脂（例えば、塩化ビニル樹脂、ポリプロピレン等）で形成されている。特に、塩化ビニル樹脂は、耐候性にもすぐれているので好適に使用できる。
なお、水密材本体２の端部には、接合材２１が挿入されて取り付けられ、隣接する水密材本体２と接合できるようになっている。
【００３２】
上記水密材１の取り付け状態の詳細を図５に示している。図において、水密材１は、第１の１階建物ユニットＵ１１の外壁Ｇ１１と、第二の１階建物ユニットＵ２１の外壁Ｇ２１のそれぞれの上端とに跨がって取り付けられている。Ｇ１１１は外壁Ｇ１１の鋼製の枠体であり、Ｆ１１、Ｆ２１は、それぞれ、第一と第二の１階建物ユニットＵ１１、Ｕ２１の天井梁である。
第一の１階建物ユニットＵ１１の外壁Ｇ１１の上に第一の２階建物ユニットＵ１２の外壁Ｇ１２があるが、外壁Ｇ１１と外壁Ｇ１２との隙間が化粧材５で覆われている。この化粧材５は、水切り材３と共に外壁Ｇ１１にビス４１で固着されたジョイントブラケット４に引掛けて取り付けられている。
【００３３】
水密材１の上部には、上部水切り材６が第一の２階外壁Ｇ１２下端部に取り付けられ、水密材本体２が上部水切り材６と水切り材１との間に挟まれて押圧され、偏平状態になされている。
なお、Ｆ１２は第一の２階建物ユニットＵ１２の床梁であり、Ｇ１２１は外壁Ｇ１２の枠体である。
【００３４】
つぎに、図１を参照しながら、上記変形可能な水切り材３付き水密材１を取り付けるユニット建物Ｔの施工方法について説明する。
本実施例におけるユニット建物Ｔの施工方法は、第一の１階建物ユニットＵ１１を設置した後、外壁Ｇ１１上に水密材１を取り付ける。このとき、水密材１を次に設置する第二の１階建物ユニットＵ２１の外壁Ｇ２１に跨がるように第一の１階建物ユニットＵ１１の外壁Ｇ１１から突出させて取り付ける。
この水密材１の設置作業は、建物ユニットＵ１１の天井やユニット内に設置した脚立等に乗って設置できるので、外部足場等不要である。
【００３５】
つぎに、水密材１が取り付けられた第一の１階建物ユニットＵ１１の上に、第一の２階建物ユニットＵ１２と、３階建物ユニットＵ１３を設置する。すると、外壁Ｇ１１と外壁Ｇ１２とで、水密材１を押圧した状態となる。
そして、第一の１階建物ユニットＵ１１の外壁Ｇ１１から突出させて取り付けた水密材１の突出部を第二の１階建物ユニットＵ２１の設置に支障のない位置に折り曲げ（図１（ロ）図参照）、テープや針金等で仮止めする。
【００３６】
つぎに、上記第一の１階建物ユニットＵ１１の横に、第二の１階建物ユニットＵ２１を設置する。そして、図１（ハ）図に示すように、折り曲げた水密材１の突出部を伸ばし、この突出部を第二の１階建物ユニットＵ２１の外壁Ｇ２１上端面に取り付け、その横に別の水切り材３付き水密材１を連設する。そして、水密材１、１の継ぎ目にジョイントブラケット４をビス４１で取り付ける。
この時、第二の１階建物ユニットＵ２１の天井やユニット内に設置した脚立等に乗るか、第一の建物ユニットから作業できる。
【００３７】
尚、第一の１階建物ユニットＵ１１、第二の１階建物ユニットＵ２１が、隣接されている状態で、この隣接部の継ぎ目地を、特開平８−７４３４０号公報等に記載されている手段で仕上げるようにしてもよい。
【００３８】
この後、第二の１階建物ユニットＵ２１の上に、第二の２階建物ユニットＵ２２と３階建物ユニットＵ２３を設置する。
さらにまた、上記第二の建物ユニットＵ２１、Ｕ２２と隣接する第三の建物ユニットＵ３１、Ｕ３２を、上記と同様にして設置し、ユニット建物Ｔの構築を完了する。
【００３９】
（実施例の作用）
上述してきたように、本実施例のユニット建物Ｔは、水密材１が、第一の１階建物ユニットＵ１１の外壁Ｇ１１と第二の１階建物ユニットＵ２１の外壁Ｇ２１とに跨がって取り付けられているので、隣接する外壁Ｇ１１、Ｇ２１間の水密性を改良したユニット建物Ｔとなる。
【００４０】
また、本実施例に示したユニット建物Ｔの施工方法によると、水密材１を次に設置する第二の１階建物ユニットＵ２１の外壁Ｇ２１に跨がるように第一の１階建物ユニットＵ１１の外壁Ｇ１１から突出させて取り付ける工程を備えているので、隣接する外壁Ｇ１１、Ｇ２１間の水密性を改良した建物となる。
また、水密材１の突出部を第二の１階建物ユニットＵ２１外壁２１の設置に支障のない位置に折り曲げ、テープ等で仮止めし、第二の１階建物ユニットＵ２１を設置する工程と、折り曲げた水密材１の突出部を伸ばし、この突出部を第二の１階建物ユニットＵ２１外壁Ｇ２１の上端面に取り付ける工程とを備えてなるものであるから、第二の１階建物ユニットＵ２１の設置が容易となる。
【００４１】
さらに、水密材１が水切り材３を備えた水切り材付きのものであるから、水切り材３で隣接する外壁Ｇ１１、Ｇ２１間の水密性を一層改良した建物となる。
なお、水切り材３が、変形可能な合成樹脂（塩化ビニル樹脂等）で形成されているので、水密材本体２と共に容易に折り曲げることができ、また、水切り材３の上方からの圧力（雨水の落下等による圧力）で容易に変形しない。
【００４２】
つぎに、図６と図７は、本発明の別の実施例であって、図６は水切り材付きの水密材の正面図、図７は水密材の取り付け方法を示す説明図である。
図において、１Ａは水切り材付き水密材であり、本実施例では前記実施例に使用した水密材１に代えて水密材１Ａを使用するものである。従って、前記実施例と同じものは同符合を付けて説明を省略し、異なるものだけ別符合を付けて説明する。
【００４３】
本実施例に使用する水切り材付き水密材１Ａは、図６に示すように、長尺の水密材本体２に対し、水切り材３Ａが分割されたものとなっている。この水切り材３Ａは、アルミニウム等の金属材料で形成されている。
本実施例のユニット建物Ｔの施工方法は、上記水密材１Ａを介して、第一の１階建物ユニットＵ１１の上に第一の２階建物ユニットＵ１２を設置し、第一の１階建物ユニットＵ１１の横に第二の１階建物ユニットＵ２１を設置するものである。
この際、図７（イ）図に示すように、水密材１Ａの水密材本体２だけを次に設置する第二の１階建物ユニットＵ２１に跨がるように第一の建物ユニットＵ１１から突出させて取り付ける。水切り材３Ａは、分割されているので、第一の１階建物ユニットＵ１１から突出する分だけ取り外しておく。
【００４４】
次に、図７（ロ）図に示すように、第二の１階建物ユニットＵ２１を設置した後、折り曲げた水密材本体２の突出部を伸ばし、この突出部を第二の１階建物ユニットＵ２１の外壁上端面に取り付ける工程で、第二の１階建物ユニットＵ２１用の水切り材３Ａを取り付ける。
【００４５】
（実施例の作用）
本実施例のユニット建物Ｔの施工方法によると、第二の１階建物ユニットＵ２１を設置した後、折り曲げた水密材本体２の突出部を伸ばし、この突出部を第二の１階建物ユニットＵ２１に取り付ける工程で、第二の１階建物ユニットＵ２１用の水切り材３Ａを取り付けるものであるから、水密材本体２を隣接する建物ユニットＵ１１、Ｕ２１間に跨がって設置でき、水密性がよくなる。
【００４６】
上記の実施例では、水密材本体２だけを突出させて取り付けたが、分割された水切り材３Ａと共に突出させてもよい。
また、水密材１Ａを突出させた状態で予め建物ユニットに工場段階で取り付けておいてもよい。工場段階で水密材１Ａを予め取り付けた状態では、輸送制限を越える出寸法を生じることがある。
この輸送制限を越える出寸法を生じる水切り材１Ａは、施工現場で取り付ける。施工現場で取り付ける場合、水密材本体２と水切り材３Ａとを別々に取り付ける場合と、水切り材付きにした水密材１Ａを取り付ける場合とがある。
【００４７】
【発明の効果】
請求項１記載の建物は、水密材が、第一の下部外壁と第二の下部外壁とに跨がって取り付けられているので、隣接する外壁間の水密性を改良した建物となる。
【００４８】
請求項２記載の建物は、請求項１記載の建物において、第一の下部外壁が、第一の下階建物ユニットの外壁であり、第二の下部外壁が第二の下階建物ユニットの外壁であり、建物がユニット建物であるから、隣接する建物ユニットの外壁間の水密性を改良したユニット建物となる。
【００４９】
請求項３記載の建物の施工方法によると、水密材を次に設置する第二の下部外壁に跨がるように第一の下部外壁から突出させて取り付ける工程を備えているので、隣接する外壁間の水密性を改良した建物となる。
また、水密材の突出部を第二の下部外壁の設置に支障のない位置に折り曲げ、第二の下部外壁を設置する工程と、折り曲げた水密材の突出部を伸ばし、この突出部を第二の下部外壁の上端面に取り付ける工程とを備えてなるものであるから、第二の下部外壁の設置が容易となる。
【００５０】
請求項４記載の建物の施工方法は、請求項３記載の建物の施工方法において、第一の下部外壁が、第一の下階建物ユニットの外壁であり、第二の下部外壁が第二の下階建物ユニットの外壁であり、建物がユニット建物であるから、隣接する外壁間の水密性を改良したユニット建物となる。また、第二の下階建物ユニットの設置が容易となる。
【００５１】
請求項５記載の建物は、請求項１または２記載の建物において、水密材が水切り材を備えた水切り材付き水密材であるから、水切り材で隣接する外壁間の水密性を一層改良した建物となる。
【００５２】
請求項６記載の建物の施工方法は、請求項３または４記載の建物の施工方法において、水密材が、水切り材を備えた水切り材付き水密材であるから、水切り材で隣接する外壁間の水密性を一層改良した建物となる。
【００５３】
請求項７記載の建物の施工方法は、請求項３または４記載の建物の施工方法において、第二の下部外壁を設置した後、折り曲げた水密材の突出部を伸ばし、この突出部を第二の下部外壁の上端面に取り付ける工程で、第二の下部外壁用の水切り材を取り付けるものである。従って、水密材を隣接する外壁間に跨がって設置でき、水密性を改良できる。
【図面の簡単な説明】
【図１】本発明の一実施例であって、水密材の取付け方法を示す説明図である。
【図２】水密材が取り付けられたユニット建物の説明図である。
【図３】図２のユニット建物の構築方法を手順通りに示す説明図である。
【図４】水切り材付き水密材の説明図である。
【図５】図１（イ）図のＡ部を拡大して示す拡大断面図である。
【図６】本発明の別の実施例であって、水切り材付きの水密材の正面図である。
【図７】水密材の取り付け方法を示す説明図である。
【符号の説明】
１、１Ａ        水密材
２              水密材本体
３、３Ａ        水切り材
Ｔ              ユニット建物
Ｕ１１          第一の１階建物ユニット
Ｕ１２          第一の２階建物ユニット
Ｕ１３          第一の３階建物ユニット
Ｕ２１          第二の１階建物ユニット
Ｕ２２          第二の２階建物ユニット
Ｕ２３          第二の３階建物ユニット
Ｇ１１          第一の１階建物ユニットの外壁（第一の下部外壁）
Ｇ１２          第一の２階建物ユニットの外壁（第一の上部外装）
Ｇ１３          第一の３階建物ユニットの外壁
Ｇ２１          第二の１階建物ユニットの外壁（第二の下部外壁）
Ｇ２２          第二の２階建物ユニットの外壁
Ｇ２３          第二の３階建物ユニットの外壁
【図１】
0003981460.tif 000002
【図２】
0003981460.tif 000003
【図３】
0003981460.tif 000004
【図４】
0003981460.tif 000005
【図５】
0003981460.tif 000006
【図６】
0003981460.tif 000007
【図７】
0003981460.tif 000008